(57)【特許請求の範囲】
【請求項１】
ステンレス板を、ナット（３）の回動制御溝（７）部径と同径の円形に形成した後、中央に螺子（２）の角胴（５）に丁度嵌合し得る正方形の連結孔（６）を開孔し、且つ該連結孔（６）の相対する２辺と平行して屈折線（１３）（１４）を形成した後、該屈折線（１３）（１４）に従って、両端円弧部（１０）（１１）をそれぞれ適当な角度で上下対称的に折り曲げると共に、該円弧部（１０）の先端上面及び円弧部（１１）の先端下面に、ナット（３）の回動制御溝（７）と嵌合し得る如く、それぞれ回動制御突起（８）（９）を突設することにより、表裏何れの面より螺子（２）と嵌合せしめても、ナット（３）の段階的締め付けによる微妙な撓み度の調整が可能であると共に、調髪中自然にナット（３）の締め付けが緩み、撓み度に狂いが生ずるようなおそれが無いことを特徴とする理髪用鋏のばね板。
【請求項２】
連結孔（６）の相対する２辺の一方に続く円弧部（１０）を山状に湾曲せしめ、他方に続く円弧部（１１）を谷状に湾曲せしめることにより、全体の形状が波形となるようにしたことを特徴とする前記請求項１に記載の理髪用鋏のばね板。
【発明の詳細な説明】
【０００１】
【産業上の利用分野】
理髪用鋏は２個の鋏体を合わせてなるものであるが、この考案は、その２個の鋏体を連結する際に使用するばね板に関するものである。
【０００２】
【従来の技術】
従来のばね板としては、図１に示す実用新案登録第３０６２２３３号のばね板４及び図２に示す実用新案登録第３０６２２３４号のばね板４の如く、屈曲せしめた円形金属板の一端面又は相対する両端面上同方向に回動制御突起８を突設してなるものや、図３に示す特開平９−２１７７２５号のばね板の如く、円形の金属板の上に一部を切欠した同径の金属板を重ねて固着することにより段差部１５を形成し、該段差部１５の下面端部に回動制御突起８を突設すると共に、切欠金属板の上面で前記回動制御突起の反対端部に刃体１ａと係止し得る舌片１６を突設してなるもの等がある。
【０００３】
【発明が解決しようとする課題】
理髪用鋏は図４に示す如く刃体１ａ，１ｂを重ねて連結してなるものであるが、同径の銅線より強度がある頭髪をスムーズにカットする為には、刃の切れ味もさることながら、両刃体の開閉が滑らかに行われ使用者の手が疲れないようにすることと、開閉操作中に刃体１ａ、１ｂ間にブレが生じて両刃体間に頭髪が挟まれないようにすることである。この為、単に刃体１ａ、１ｂを螺子２とナット３で締め付けるだけではなく、螺子２とナット３の間にばね板４を装着する如くなしているが、その装着方法は刃体１ａ、１ｂを貫通せしめた螺子２の角胴５にばね板４の連結孔６を嵌合せしめた後、ナット３を螺子２に螺合せしめ、ナット３の下面に掘設した回動制御溝７にばね板４の回動制御突起８の先端部を挿入せしめる如くなしている。
【０００４】
この結果、刃体１ａ、１ｂの締め付け度は螺子２とナット３の締め付け度に直結するものではなく、ばね板４と刃体１ａ間に生ずる撓み間隙１２を変化せしめるばね板４の撓み度が加味されるものになる為、ナット３によるばね板４の締め付け調整により、刃体１ａ、１ｂの開閉が滑らかに行われ且つブレも生じない微妙な締め付け度の調整が可能となるものであると共に、手でナット３を回動させない限り回動制御溝７が回動制御突起８を乗り越えることはないので、鋏の使用中自然にナット３が緩んで締め付け度が変わり、調髪に失敗するが如きおそれは生じない。
従って、その点においては従来のばね板４でも充分効果が得られるので問題がないが、いづれも唯一装着を間違える欠点を有するものである。即ち、ばね板４は薄く小さいものである為つまみ損ない、誤って裏返しの状態で装着することがあると云う点であるが、そうなると、当初におけるばね板撓み度の調整は一応可能でも、回動制御突起８が回動制御溝７に挿入されていない状態なので、調髪中にナット３が緩んで締め付け度が変化し、奇麗なカットがしづらくなる為、途中で鋏を分解し組み立てし直さなければならなくなる。
このことは常時生ずることではないが、やはり看過し得ざる重要な問題点であると言うべきである。
【０００５】
【課題を解決するための手段】
本発明に係るばね板は、螺子２に嵌合し得る連結孔６の相対する２辺に続く両円弧部１０，１１を、夫れ夫れ相反する方向に屈曲或いは湾曲せしめると共に、該円弧部１０の先端上面及び円弧部１１の先端下面に、それぞれ回動制御突起８及び９を突設することにより前記問題点を解決する如くなしたものである。
【０００６】
【作用】
本発明に係るばね板４は、形状構造が対称的である為、その何れの面方向から螺子２に嵌合せしめても、必ず一方の回動制御突起８又は９が締め付けたナツト３の回動制御溝７に挿入され、且つナット３或いは刃体１ａとばね板４間の撓み間隙１２が同一である為、撓み度の微調整も同様になし得ると共に、調髪中自然にナット３が緩みカットに狂いが生ずるようなことも起きない。
つまり、本発明に係るばね板４は、その装着に気を使う必要が無く間違いも生じ得ないものである。
【０００７】
【実施例】
以下、添付図面に従って実施例を説明すると、図５に示す如く、本発明に係るばね板４は肉厚０．２ミリのステンレス板で、ナット３の回動制御溝７部径と同径の円形をなし、中央に螺子２の角胴５と丁度嵌合し得る正方形の連結孔６を開孔せしめている。そして該連結孔６の相対する２辺と平行して屈折線１３，１４を形成した後、該屈折線に従って、両端円弧部１０，１１を夫れ夫れ適当な角度で上下対称的に折り曲げると共に、該円弧部１０の先端上面及び円弧部１１の先端下面に、ナット３下面に堀設した回動制御溝７に挿入し得る回動制御突起８及び９をそれぞれ対称的に突設してなるものである。更に、他の実施例を説明すると、図６に示す如く、連結孔６の相対する２辺の一方に続く円弧部１０を山状に湾曲せしめ、他方に続く円弧部１１を谷状に湾曲せしめることにより、全体の形状が波形となるように形成すると共に、円弧部１０の先端上面及び円弧部１１の先端下面に、それぞれ回動制御突起８及び９を突設してなるものである。
【０００８】
【発明の効果】
上述のように、本発明に係るばね板４を使用すれば、刃体１ａ，１ｂの開閉が滑らかに行われ、且つブレも生じないようにするナット３の締め付け度の微調整が可能になると共に、表裏何れの面方向より螺子２に嵌合せしめても、変わらず同様にナツト３の段階的締め付けによる微妙な撓み度の調整が可能であり、調髪中自然にナット３の締め付けが緩み、撓み度に狂いが生ずるようなおそれが生じ得ない効果が得られるものである。
【図面の簡単な説明】
【図１】（イ）は実用新案登録第３０６２２３３号のばね板の正面図、（ロ）は同平面図，（ハ）は使用状態を示す断面図である。
【図２】（イ）は実用新案登録第３０６２２３４号のばね板の正面図、（ロ）は同平面図である。
【図３】（イ）は特開平９−２１７７２５号のばね板の斜視図、（ロ）は使用状態を示す断面図である。
【図４】（イ）は理髪用鋏の正面図、（ロ）は刃体に螺子・ナット・ばね板を装着した状態を示す断面図である。
【図５】（イ）は本発明に係るばね板の実施例を示す正面図、（ロ）は同平面図、（ハ）は使用状態を示す断面図である。
【図６】（イ）は本発明に係るばね板の実施他例を示す正面図、（ロ）は同平面図である。
【符号の説明】
１ａ１ｂ    刃体
２          螺子
３          ナット
４          ばね板
５          角胴
６          連結孔
７          回動制御溝
８，９      回動制御突起
１０，１１  円弧部
１２        撓み間隙
１３，１４  屈折線
１５        段差部
１６        舌片
【図１】
0003621640.tif 000002
【図２】
0003621640.tif 000003
【図３】
0003621640.tif 000004
【図４】
0003621640.tif 000005
【図５】
0003621640.tif 000006
【図６】
0003621640.tif 000007